(57)【要約】【課題】擁壁用大型積みブロックを組み上げて構築する護岸又は法面などの斜面において、ここに地震の大きな慣性力などの外力が作用しても、構築する擁壁用大型積みブロックにおいて変形やひび割れが起こるのを防止し、斜面を強固なものにする。【解決手段】４つの斜辺部４を有してそれぞれの角が上下及び左右それぞれの端に位置する正面視が菱形の前壁板２と、前壁板２の後面に後方に突出するように設ける４つの控え脚３と、から構成し、４つの控え脚３を、前壁板２の各斜辺部４の中間にそれぞれ配置し、擁壁用大型積みブロック１を谷積みにして組み上げるとき、４つの控え脚３それぞれが隣接する他の擁壁用大型積みブロック１の控え脚３に組み合わさる擁壁用大型積みブロックである。【選択図】図１
2017227097.tif 000002
【特許請求の範囲】
【請求項１】
４つの斜辺部を有してそれぞれの角が上下及び左右それぞれの端に位置する正面視が菱形の前壁板と、前壁板の後面に後方に突出するように設ける４つの控え脚と、から構成し、
４つの控え脚を、前壁板の各斜辺部の中間にそれぞれ配置し、擁壁用大型積みブロックを谷積みにして組み上げるとき、４つの控え脚それぞれが隣接する他の擁壁用大型積みブロックの控え脚に組み合わさることを特徴とする擁壁用大型積みブロック。
【請求項２】
請求項１に記載された擁壁用大型積みブロックにおいて、
前記控え脚は、４つの斜めの側面部を有してそれぞれの角が上下及び左右それぞれの端に位置する四角柱状にし、擁壁用大型積みブロックを谷積みにして組み上げるとき、控え脚の１つの側面部が隣接する他の擁壁用大型積みブロックの控え脚の１つの側面部に斜めに相対することを特徴とする擁壁用大型積みブロック。
【請求項３】
請求項１又は２に記載された擁壁用大型積みブロックにおいて、
前記控え脚の突出する方向の中間に水平部を設けることを特徴とする擁壁用大型積みブロック。
【請求項４】
請求項３に記載された擁壁用大型積みブロックにおいて、
前記控え脚の水平部の両側に段部を形成し、擁壁用大型積みブロックを谷積みにして組み上げるとき、水平部の両側に形成する段部が隣接する他の擁壁用大型積みブロックの控え脚の水平部に控え脚の突出する方向において噛み合うことを特徴とする擁壁用大型積みブロック。
【請求項５】
請求項１乃至４のいずれかに記載された擁壁用大型積みブロックにおいて、
前記前壁板の上下の角に水平部を設けることを特徴とする擁壁用大型積みブロック。
【請求項６】
請求項５に記載された擁壁用大型積みブロックにおいて、
前記前壁板の水平部にガイドピンを差し込み可能にする孔部を設け、擁壁用大型積みブロックを谷積みにして組み上げるとき、水平部の孔部と上下に位置する他の擁壁用大型積みブロックの前壁板の水平部の孔部とにわたってガイドピンを差し込んで位置決めすることを特徴とする擁壁用大型積みブロック。
【請求項７】
請求項５又は６に記載された擁壁用大型積みブロックにおいて、
前記前壁板の水平部を凸状の突き出る形状にすると共に、前壁板の左右の角に凹状の窪んだ形状の切欠き部を設け、擁壁用大型積みブロックを谷積みにして組み上げるとき、前壁板の水平部が隣接する他の擁壁用大型積みブロックの前壁板の切欠き部に嵌り込むことを特徴とする擁壁用大型積みブロック。
【発明の詳細な説明】
【技術分野】
【０００１】
本発明は、河川や海岸の護岸、道路の法面、鉄道の法面、宅地造成地の法面などの斜面において、その斜面に組み上げて構築して斜面を保護する擁壁用大型積みブロックに関し、特に、斜面に擁壁用大型積みブロックを組み上げて構築するとき、斜面を強固なものにできる擁壁用大型積みブロックに関する。
【背景技術】
【０００２】
図１６は、従来の擁壁用大型積みブロックの正面図、図１７は、従来の擁壁用大型積みブロックの平面図、図１８は、従来の擁壁用大型積みブロックの側面図である。
従来の擁壁用大型積みブロック３１は、図１６から図１８に示すように、正面視が横長の長方形の前壁板３２と、前壁板３２の後面に後方に突出するように設ける２つの控え脚３３と、から構成している。２つの控え脚３３は、前壁板３２の後面において左右対称の位置に設けられる。また、２つの控え脚３３は、上下に向かって長く、その上下の寸法を前壁板３２の上下の寸法と同じにすると共に、後方に向かって斜め上方に伸びる形状にしている。
【０００３】
また、控え脚３３は、その上面に凸状の突起部３４を設けると共に、下面に凹状の窪み部３５を設けて、擁壁用大型積みブロック３１を組み上げるとき、下面に設ける窪み部３５が下方に位置する他の擁壁用大型積みブロック３１の控え脚３３の上面に設ける突起部３４に嵌り込むようにしている。
【０００４】
擁壁用大型積みブロック３１にあっては、護岸又は法面などの斜面において、その斜面に沿って上方に向かって斜めに組み上げて構築する。
【０００５】
図１９は、従来の擁壁用大型積みブロックを構築したときの正面図、図２０は、従来の擁壁用大型積みブロックを構築したときの側面から見た断面図である。
図１９、図２０に示すように、斜面の下端に敷設する基礎コンクリート３６の上に１段目の擁壁用大型積みブロック３１を左右の横方向に並べて積む。また、擁壁用大型積みブロック３１を積むとき、擁壁用大型積みブロック３１の後方には空間を空けておく。１段目の擁壁用大型積みブロック３１を積み終えたら、擁壁用大型積みブロック３１の後方の空間に裏込め材３７を充填し、裏込めコンクリート３８を充填すると共に擁壁用大型積みブロック３１の内側に胴込めコンクリート３９を充填して、基礎コンクリート３６の上に１段目の擁壁用大型積みブロック３１を組み上げる。
【０００６】
１段目の擁壁用大型積みブロック３１の上に２段目の擁壁用大型積みブロック３１を左右の横方向に並べて積む。このとき、２段目の擁壁用大型積みブロック３１を１段目の擁壁用大型積みブロック３１に対して当該擁壁用大型積みブロック３１の前壁板３２の左右の横幅半分だけずらして１段目の２つの擁壁用大型積みブロック３１に跨るように積む。また、前壁板３２の後方に設ける２つの控え脚３３は、１段目の２つの擁壁用大型積みブロック３１の片方の控え脚３３の上にそれぞれ載り、控え脚３３の下面に設ける窪み部３５が１段目の擁壁用大型積みブロック３１の控え脚３３の上面に設ける突起部３４に嵌り込む。２段目の擁壁用大型積みブロック３１を積み終えたら、１段目の擁壁用大型積みブロック３１と同様、２段目の擁壁用大型積みブロック３１の後方の空間に裏込め材３７を充填し、裏込めコンクリート３８を充填すると共に擁壁用大型積みブロック３１の内側に胴込めコンクリート３９を充填して、１段目の擁壁用大型積みブロック３１の上に２段目の擁壁用大型積みブロック３１を組み上げる。
【０００７】
２段目の擁壁用大型積みブロック３１の上に３段目の擁壁用大型積みブロック３１を、それから４段目の擁壁用大型積みブロック３１を、１段目、２段目の擁壁用大型積みブロック３１と同様に組み上げる。擁壁用大型積みブロック３１の組み上げを、たとえば６，７段目まで組み上げる。組み上げた後、擁壁用大型積みブロック３１の上に天端コンクリート４０を被せるように設ける。これにより、護岸又は法面などの斜面において、多数の擁壁用大型積みブロック３１を上下に複数段にわたって千鳥状に積み、これを斜面に沿って組み上げて構築できる。
【０００８】
しかしながら、従来の擁壁用大型積みブロック３１を護岸又は法面などの斜面に組み上げて構築する場合、上下に位置する擁壁用大型積みブロック３１にあっては、１段目と２段目の目地又は２段目と３段目の目地又は３段目と４段目の目地などの上下に位置する擁壁用大型積みブロック３１の目地が左右の横方向に直線的になり、しかも、目地は擁壁用大型積みブロック３１を組み上げて構築する斜面において、その左右全長にわたって横に一直線に伸びるようになる。
【０００９】
たとえば、大規模な地震が発生したとき、斜面に組み上げて構築する擁壁用大型積みブロック３１には地震の大きな慣性力などの外力が作用する。しかし、このとき、上下に複数段にわたって積んだ擁壁用大型積みブロック３１は、上下に位置する擁壁用大型積みブロック３１の目地が左右の横方向に直線的になり、かつ斜面の左右全長にわたって横に一直線に伸びるようになる。このことから、作用する外力に対しての抵抗力が小さくなる。これにより、上下に位置する擁壁用大型積みブロック３１の目地の箇所でひび割れが始まり、斜面に組み上げて構築する擁壁用大型積みブロック３１において変形やひび割れが起こる。
【００１０】
図２１は、従来の構築した擁壁用大型積みブロックに外力が作用したときの状態を示す説明図、図２２は、従来の構築した擁壁用大型積みブロックにひび割れが起きたときの状態を示す説明図、図２３は、従来の構築した擁壁用大型積みブロックに外力が作用したときの状態を示す説明図、図２４は、従来の構築した擁壁用大型積みブロックにひび割れが起きたときの状態を示す説明図である。
【００１１】
地震の大きな慣性力などの外力が作用することにより、図２１（ａ）に示すように、組み上げて構築する擁壁用大型積みブロック３１の内側で圧縮応力が生じ、その外側で引張応力が生じると、擁壁用大型積みブロック３１の外側からひび割れＣが始まり、図２２に示すように、上下に位置する擁壁用大型積みブロック３１の目地の箇所でひび割れＣが起こる。またその逆に、図２１（ｂ）に示すように、組み上げて構築する擁壁用大型積みブロック３１の内側で引張応力が生じ、その外側で圧縮応力が生じると、擁壁用大型積みブロック３１の内側からひび割れＣが始まり、図２２に示すように、上下に位置する擁壁用大型積みブロック３１の目地の箇所でひび割れＣが起こる。
【００１２】
また、左右に位置する擁壁用大型積みブロック３１にあっては、擁壁用大型積みブロック３１を千鳥状に積むことで、作用する外力に対しての抵抗力が若干大きくなる。しかし、左右に位置する擁壁用大型積みブロック３１の目地が上下の縦方向に直線的になることから、やはり、外力が作用すると、図２３（ａ）に示すように、擁壁用大型積みブロック３１の内側で圧縮応力が生じ、その外側で引張応力が生じると、擁壁用大型積みブロック３１の外側からひび割れＣが始まり、また、図２３（ｂ）に示すように、擁壁用大型積みブロック３１の内側で引張応力が生じ、その外側で圧縮応力が生じると、擁壁用大型積みブロック３１の内側からひび割れＣが始まる。このため、図２４に示すように、左右に位置する擁壁用大型積みブロック３１の目地の箇所で上下の縦方向に直線的にひび割れＣが起こる。
【発明の概要】
【発明が解決しようとする課題】
【００１３】
本発明は、このような問題に鑑みてなされたものであって、その目的は、擁壁用大型積みブロックを組み上げて構築する護岸又は法面などの斜面において、ここに地震の大きな慣性力などの外力が作用しても、構築する擁壁用大型積みブロックにおいて変形やひび割れが起こるのを防止し、斜面を強固なものにすることである。
【課題を解決するための手段】
【００１４】
第一の発明は、４つの斜辺部を有してそれぞれの角が上下及び左右それぞれの端に位置する正面視が菱形の前壁板と、前壁板の後面に後方に突出するように設ける４つの控え脚と、から構成し、４つの控え脚を、前壁板の各斜辺部の中間にそれぞれ配置し、擁壁用大型積みブロックを谷積みにして組み上げるとき、４つの控え脚それぞれが隣接する他の擁壁用大型積みブロックの控え脚に組み合わさる擁壁用大型積みブロックである。
【００１５】
第二の発明は、第一の発明において、控え脚は、４つの斜めの側面部を有してそれぞれの角が上下及び左右それぞれの端に位置する四角柱状にし、擁壁用大型積みブロックを谷積みにして組み上げるとき、控え脚の１つの側面部が隣接する他の擁壁用大型積みブロックの控え脚の１つの側面部に斜めに相対する擁壁用大型積みブロックである。
【００１６】
第三の発明は、第一又は第二の発明において、控え脚の突出する方向の中間に水平部を設ける擁壁用大型積みブロックである。
【００１７】
第四の発明は、第三の発明において、控え脚の水平部の両側に段部を形成し、擁壁用大型積みブロックを谷積みにして組み上げるとき、水平部の両側に形成する段部が隣接する他の擁壁用大型積みブロックの控え脚の水平部に控え脚の突出する方向において噛み合う擁壁用大型積みブロックである。
【００１８】
第五の発明は、第一乃至第四のいずれかの発明において、前壁板の上下の角に水平部を設ける擁壁用大型積みブロックである。
【００１９】
第六の発明は、第五の発明において、前壁板の水平部にガイドピンを差し込み可能にする孔部を設け、擁壁用大型積みブロックを谷積みにして組み上げるとき、水平部の孔部と上下に位置する他の擁壁用大型積みブロックの前壁板の水平部の孔部とにわたってガイドピンを差し込んで位置決めする擁壁用大型積みブロックである。
【００２０】
第七の発明は、第五又は第六の発明において、前壁板の水平部を凸状の突き出る形状にすると共に、前壁板の左右の角に凹状の窪んだ形状の切欠き部を設け、擁壁用大型積みブロックを谷積みにして組み上げるとき、前壁板の水平部が隣接する他の擁壁用大型積みブロックの前壁板の切欠き部に嵌り込む擁壁用大型積みブロックである。
【発明の効果】
【００２１】
本発明によれば、擁壁用大型積みブロックの前壁板の４つの斜辺部が隣接する他の擁壁用大型積みブロックの前壁板の斜辺部に合わさることで、組み上げて構築する擁壁用大型積みブロックの目地が、左右の横方向に直線的でかつ一直線に伸びるものにならず、山と谷とが交互にできる三角波状の波形になる。またこれと共に、目地の長さも長くなることから、地震の大きな慣性力などの外力が作用するとき、外力に対しての抵抗力が大きくなる。しかも、前壁板の後方の４つの控え脚が隣接する他の擁壁用大型積みブロックの控え脚に組み合わさることで、控え脚においても、地震の大きな慣性力などの外力に対しての大きな抵抗力が生じる。これにより、隣接する擁壁用大型積みブロック同士を堅固に接合でき、擁壁用大型積みブロックの目地の箇所でひび割れが始まり、構築する擁壁用大型積みブロックにおいて変形やひび割れが起こるのを防止することができ、斜面を強固なものにできる。
【００２２】
また、擁壁用大型積みブロックの控え脚に水平部を設けると共に、擁壁用大型積みブロックの前壁板の上下の角に水平部を設けることで、擁壁用大型積みブロックを谷積みにして組み上げるとき、控え脚に設ける水平部及び前壁板に設ける水平部によって、下段の擁壁用大型積みブロックの上に、上段の擁壁用大型積みブロックを水平に正しい姿勢で積むことができる。しかも、この作業をただ単に積むだけの極めて簡単な作業にすることから、施工時の作業性を向上させることができる。
【００２３】
また、控え脚の水平部の両側に段部を形成し、擁壁用大型積みブロックを谷積みにして組み上げるとき、水平部の両側に形成する段部が隣接する他の擁壁用大型積みブロックの控え脚の水平部に控え脚の突出する方向において噛み合うことで、隣接する擁壁用大型積みブロック同士の前後の移動をなくすことができる。これによっても、隣接する擁壁用大型積みブロック同士を堅固に接合でき、構築する擁壁用大型積みブロックにおいて変形やひび割れが起こるのを防止することができ、斜面を強固なものにできる。
【００２４】
さらに、前壁板の上下の角に設ける水平部に孔部を設け、上下に位置する２つの擁壁用大型積みブロックの前壁板の水平部の孔部にわたってガイドピンを差し込んで位置決めすることで、上下に位置する２つの擁壁用大型積みブロックを前後方向及び左右方向にずれることなく正確に積むことができる。しかも、これを容易に行えることから、施工時の作業性を格段に向上させることができる。
【図面の簡単な説明】
【００２５】
【図１】本発明の擁壁用大型積みブロックの正面図である。
【図２】本発明の擁壁用大型積みブロックの背面図である。
【図３】本発明の擁壁用大型積みブロックの平面図である。
【図４】図１のＡ−Ａ断面図である。
【図５】本発明の擁壁用大型積みブロックの正面から見た斜視図である。
【図６】本発明の擁壁用大型積みブロックの背面から見た斜視図である。
【図７】本発明の別の擁壁用大型積みブロックの正面図である。
【図８】擁壁用大型積みブロックを構築するときの工程図である。
【図９】擁壁用大型積みブロックを構築したときの正面図である。
【図１０】擁壁用大型積みブロックを構築したときの側面から見た断面図である。
【図１１】控え脚に設ける水平部の機能を示す説明図である。
【図１２】控え脚に設ける水平部における噛み合わるときの状態を示す説明図である。
【図１３】前壁板に設ける水平部と控え脚に設ける水平部とにおける合わさるときの状態を示す説明図である。
【図１４】上下に位置する２つの擁壁用大型積みブロックの前壁板をガイドピンによって位置決めするときの状態を示す説明図である。
【図１５】前壁板の上下の水平部が隣接する他の擁壁用大型積みブロックの前壁板の左右の角に設ける切欠き部に嵌り込むときの状態を示す説明図である。
【図１６】従来の擁壁用大型積みブロックの正面図である。
【図１７】従来の擁壁用大型積みブロックの平面図である。
【図１８】従来の擁壁用大型積みブロックの側面図である。
【図１９】従来の擁壁用大型積みブロックを構築したときの正面図である。
【図２０】従来の擁壁用大型積みブロックを構築したときの側面から見た断面図である。
【図２１】従来の構築した擁壁用大型積みブロックに外力が作用したときの状態を示す説明図である。
【図２２】従来の構築した擁壁用大型積みブロックにひび割れが起きたときの状態を示す説明図である。
【図２３】従来の構築した擁壁用大型積みブロックに外力が作用したときの状態を示す説明図である。
【図２４】従来の構築した擁壁用大型積みブロックにひび割れが起きたときの状態を示す説明図である。
【発明を実施するための形態】
【００２６】
本発明の擁壁用大型積みブロックの一実施形態について説明する。
図１は、本実施形態の擁壁用大型積みブロックの正面図、図２は、擁壁用大型積みブロックの背面図、図３は、擁壁用大型積みブロックの平面図、図４は、図１のＡ−Ａ断面図、図５は、擁壁用大型積みブロックの正面から見た斜視図、図６は、擁壁用大型積みブロックの背面から見た斜視図である。
擁壁用大型積みブロック１は、図１から図６に示すように、コンクリート製であって、正面視が菱形の前壁板２と、前壁板２の後面に後方に突出するように設ける４つの控え脚３と、から構成する。
【００２７】
前壁板２は、４つの斜辺部４を有してそれぞれの角が上下及び左右それぞれの端に位置する正面視が菱形にする。具体的には横と縦の対角線が同一長さになる正方形状の菱形にする。また、その大きさは、たとえば横と縦の対角線の長さをともに１ｍ程度にし、また、その厚みを１０〜２０ｃｍ程度にする。
【００２８】
図７は、別の擁壁用大型積みブロックの正面図である。
前壁板２は、正方形状の菱形に限定されるものではなく、図７（ａ）に示すように、横の対角線が縦の対角線より長い横長の菱形でも良く、また、図７（ｂ）に示すように、縦の対角線が横の対角線より長い縦長の菱形でも良い。また、大きさや厚みもこれらに限定されるものではない。
【００２９】
また、前壁板２の前面には凹凸模様あるいは擬石模様を施すことで、擁壁用大型積みブロック１を護岸又は法面などの斜面に組み上げて構築するとき、周囲の自然に調和して自然環境を損なうことのないデザインにする。
【００３０】
控え脚３は、４つの斜めの側面部５を有してそれぞれの角が上下及び左右それぞれの端に位置する四角柱状にする。また、控え脚３の大きさは、後方に突出する長さである１つの側面部５の長さを２０〜２５ｃｍ程度にし、１つの側面部５の幅を１０〜１５ｃｍ程度にする。なお、控え脚３の形状及び大きさはこれらに限定されるものではない。４つの控え脚３を、前壁板２の各斜辺部４の中間にそれぞれ配置する。これにより、擁壁用大型積みブロック１を谷積みにして組み上げるとき、前壁板２の各斜辺部４の中間に配置する４つの控え脚３それぞれが隣接する他の擁壁用大型積みブロック１の控え脚３に組み合わさるようになる。また、控え脚３を４つの斜めの側面部５を有する四角柱状にすることにより、擁壁用大型積みブロック１を谷積みにして組み上げるとき、控え脚３の１つの側面部５が隣接する他の擁壁用大型積みブロック１の控え脚３の１つの側面部５に斜めに相対する。
【００３１】
また、４つの控え脚３は、その突出する方向の中間に平板状の水平部６をそれぞれ設ける。水平部６は、前壁板２の上側に配置する２つの控え脚３では控え脚３の上方に設けると共に、前壁板２の下側に配置する２つの控え脚３では控え脚３の下方に設け、擁壁用大型積みブロック１を谷積みにして組み上げるとき、水平に向く。
【００３２】
また、控え脚３の水平部６は、控え脚３の突出する方向と直交する方向に向かって控え脚３を切り込むことにより、その両側に段部７を形成すると共に、その一部を控え脚３の斜めの側面部５より突き出るようにする。これにより、擁壁用大型積みブロック１を谷積みにして組み上げるとき、水平部６の両側に形成する段部７が隣接する他の擁壁用大型積みブロック１の控え脚３の水平部６に控え脚３の突出する方向において噛み合う。
【００３３】
さらに、前壁板２は、その上下の角に平板状の水平部８をそれぞれ設ける。水平部８は、上下に向かって凸状の突き出る形状にすると共に、その厚みを前壁板２の厚みの半分にし、前壁板２の後側に設け、擁壁用大型積みブロック１を谷積みにして組み上げるとき、水平に向く。
【００３４】
また、前壁板２は、その左右の角に凹状の窪んだ形状の切欠き部９を設ける。切欠き部９は、その厚みを前壁板２の厚みの半分にし、前壁板２の後側に設ける。このように、前壁板２の上下の角に上下に向かって凸状の突き出る形状の水平部８を設けると共に、前壁板２の左右の角に凹状の窪んだ形状の切欠き部９を設けることにより、擁壁用大型積みブロック１を谷積みにして組み上げるとき、前壁板２の上下の角に設ける水平部８が隣接する他の擁壁用大型積みブロック１の前壁板２の左右の角に設ける切欠き部９に嵌り込む。
【００３５】
また、前壁板２の上下の角に設ける水平部８には、上下に向かう円形の孔部１０を設ける。孔部１０には、上下に位置する擁壁用大型積みブロック１の前壁板２の位置決めするための円柱状のガイドピン１１を差し込み可能にする。これにより、擁壁用大型積みブロック１を谷積みにして組み上げるとき、水平部８の孔部１０と上下に位置する他の擁壁用大型積みブロック１の前壁板２の水平部８の孔部１０とにわたってガイドピン１１を差し込んで位置決めする。
【００３６】
また、前壁板２は、その後面の左右中央下側に貫通していない水抜き用孔部１２を設ける。水抜き用孔部１２は、必要に応じて、前壁板２の前面まで貫通させることで、ここに水抜きパイプを設置して水抜きを行える。
【００３７】
擁壁用大型積みブロック１にあっては、河川や海岸の護岸、道路の法面、鉄道の法面、宅地造成地の法面などの斜面において、その斜面に沿って上方に向かって斜めに組み上げて構築する。
【００３８】
図８は、擁壁用大型積みブロックを構築するときの工程図である。
擁壁用大型積みブロックの構築は、図８（ａ）に示すように、斜面の下端に敷設する基礎コンクリート２０の上に根石用ブロック２１を左右の横方向に並べて積む。なお、根石用ブロック２１は、その前壁板の形状を変形五角形の逆ホームベース形にし、大きさを擁壁用大型積みブロック１と共通にする。具体的にはその横幅を擁壁用大型積みブロック１の前壁板２の横の対角線の長さと同じ１ｍ程度にし、また、その厚みも擁壁用大型積みブロック１の前壁板２の厚みと同じ１０〜２０ｃｍ程度にする。また、根石用ブロック２１は、擁壁用大型積みブロック１と同様、前壁板の上の角に水平部を設け、水平部に孔部を設けると共に、前壁板の後面に後方に突出する４つの控え脚を設け、上側の２つの控え脚にも水平部を設ける。基礎コンクリート２０の上に左右の横方向に並べて積んだ根石用ブロック２１の上端は、山と谷とが交互にできる三角波状の波形になる。
【００３９】
図８（ｂ）に示すように、根石用ブロック２１の上に１段目の擁壁用大型積みブロック１を左右の横方向に並べて谷積みする。これは、２つの根石用ブロック２１の間にできる谷の部分に１段目の擁壁用大型積みブロック１を嵌め込むようにして積む。また、擁壁用大型積みブロック１及び根石用ブロック２１を積むとき、擁壁用大型積みブロック１及び根石用ブロック２１の後方には空間を空けておく。１段目の擁壁用大型積みブロック１を積み終えたら、擁壁用大型積みブロック１及び根石用ブロック２１の後方の空間に裏込め材２２を充填し、裏込めコンクリート２３を充填すると共に胴込めコンクリート２４を充填して、根石用ブロック２１の上に１段目の擁壁用大型積みブロック１を谷積みにして組み上げる。
【００４０】
図８（ｃ）に示すように、１段目の擁壁用大型積みブロック１の上に２段目の擁壁用大型積みブロック１を左右の横方向に並べて谷積みする。これは、１段目の２つの擁壁用大型積みブロック１の間にできる谷の部分に２段目の擁壁用大型積みブロック１を嵌め込むようにして積む。また、２段目の擁壁用大型積みブロック１を積むときも、擁壁用大型積みブロック１の後方には空間を空けておく。２段目の擁壁用大型積みブロック１を積み終えたら、１段目の擁壁用大型積みブロック１と同様、２段目の擁壁用大型積みブロック１の後方の空間に裏込め材２２を充填し、裏込めコンクリート２３を充填すると共に胴込めコンクリート２４を充填して、１段目の擁壁用大型積みブロック１の上に２段目の擁壁用大型積みブロック１を谷積みにして組み上げる。
【００４１】
２段目の擁壁用大型積みブロック１の上に３段目の擁壁用大型積みブロック１を、それから４段目の擁壁用大型積みブロック１を、１段目、２段目の擁壁用大型積みブロック１と同様に谷積みにして組み上げる。擁壁用大型積みブロック１の組み上げを、たとえば６，７段目まで組み上げる。
【００４２】
図９は、擁壁用大型積みブロックを構築したときの正面図、図１０は、擁壁用大型積みブロックを構築したときの側面から見た断面図である。
図９、図１０に示すように、斜面の上端では天端用ブロック２５を左右の横方向に並べて積むことにより、斜面の上端を左右の横方向に直線的にする。なお、天端用ブロック２５は、その前壁板の形状を変形五角形のホームベース形にし、大きさを擁壁用大型積みブロック１と共通にする。また、天端用ブロック２５も、擁壁用大型積みブロック１と同様、前壁板の下の角に水平部を設け、水平部に孔部を設けると共に、前壁板の後面に後方に突出する４つの控え脚を設け、下側の２つの控え脚にも水平部を設ける。天端用ブロック２５の上に天端コンクリート２６を被せるように設ける。また、図示していないが、斜面の左右の端では袖石用ブロックを上下の縦方向に並べて積むことにより、斜面の左右の端を上下の縦方向に直線的にする。なお、袖石用ブロックは、その前壁板の形状を変形五角形の横ホームベース形にし、大きさを擁壁用大型積みブロック１と共通にする。これにより、護岸又は法面などの斜面において、多数の擁壁用大型積みブロック１を斜面に沿って上方に向かって谷積みにして組み上げて構築する。
【００４３】
次に、擁壁用大型積みブロック１を組み上げて構築するときの上段と下段の擁壁用大型積みブロック１における接合状態について説明する。
【００４４】
下段の２つの擁壁用大型積みブロック１の間にできる谷の部分に上段の擁壁用大型積みブロック１を嵌め込むようにして谷積みするとき、擁壁用大型積みブロック１の前壁板２にあっては、上段の擁壁用大型積みブロック１の前壁板２の下側の２つの斜辺部４が下段の２つの擁壁用大型積みブロック１の前壁板２の上側の１つの斜辺部４それぞれに合わさる。
【００４５】
また、上段の擁壁用大型積みブロック１の前壁板２の下の角に設ける水平部８が下段の２つの擁壁用大型積みブロック１の前壁板２の左右の角に設ける切欠き部９に嵌り込み、このとき、下段の擁壁用大型積みブロック１の前壁板２の切欠き部９により上段の擁壁用大型積みブロック１の前壁板２の水平部８がガイドされながら嵌り込む。また、上段の擁壁用大型積みブロック１の前壁板２の下側の水平部８に設ける孔部１０と２つ下の段の擁壁用大型積みブロック１の前壁板２の上側の水平部８に設ける孔部１０とにわたってガイドピン１１を差し込んで位置決めし、上段の擁壁用大型積みブロック１の前壁板２を正確に積む。上段の擁壁用大型積みブロック１の前壁板２の下側の水平部８が２つ下の段の擁壁用大型積みブロック１の前壁板２の上側の水平部８にしっかり合わさる。これにより、組み上げて構築する擁壁用大型積みブロック１の前壁板２において、上段と下段の擁壁用大型積みブロック１同士が堅固に接合する。
【００４６】
また、擁壁用大型積みブロック１の控え脚３にあっては、上段の擁壁用大型積みブロック１の下側の２つの控え脚３が下段の２つの擁壁用大型積みブロック１の上側の１つの控え脚３それぞれに組み合わさると共に、上段の擁壁用大型積みブロック１の控え脚３の１つの側面部５が下段の擁壁用大型積みブロック１の控え脚３の１つの側面部５に斜めに相対する。
【００４７】
上段の擁壁用大型積みブロック１の控え脚３に設ける水平部６が下段の擁壁用大型積みブロック１の控え脚３に設ける水平部６に合わさる。しかも、上段の擁壁用大型積みブロック１の控え脚３の水平部６の両側に形成する段部７が下段の擁壁用大型積みブロック１の控え脚３の水平部６の一部突き出る箇所に控え脚３の突出する方向において噛み合う。これにより、組み上げて構築する擁壁用大型積みブロック１の控え脚３においても、上段と下段の擁壁用大型積みブロック１同士を堅固に接合する。
【００４８】
このように、擁壁用大型積みブロック１の前壁板２の４つの斜辺部４が隣接する他の擁壁用大型積みブロック１の前壁板２の斜辺部４に合わさることで、組み上げて構築する擁壁用大型積みブロック１の目地が、従来の擁壁用大型積みブロックの目地のような左右の横方向に直線的でかつ一直線に伸びるものにならず、山と谷とが交互にできる三角波状の波形になる。またこれと共に、目地の長さも長くなることから、地震の大きな慣性力などの外力が作用するとき、外力に対しての抵抗力が従来のものと比べて大きくなる。しかも、前壁板２の後方の４つの控え脚３が隣接する他の擁壁用大型積みブロック１の控え脚３に組み合わさることで、控え脚３においても、地震の大きな慣性力などの外力に対しての大きな抵抗力が生じる。これにより、隣接する擁壁用大型積みブロック１同士を堅固に接合でき、擁壁用大型積みブロック１の目地の箇所でひび割れが始まり、構築する擁壁用大型積みブロックにおいて変形やひび割れが起こるのを防止できる。
【００４９】
また、控え脚３の１つの側面部５が隣接する他の擁壁用大型積みブロック１の控え脚３の１つの側面部５に斜めに相対することで、ここでも左右の横方向に直線的でかつ一直線に伸びるものにならずに斜めになり、これによっても、作用する外力に対しての抵抗力が大きくなる。これにより、隣接する擁壁用大型積みブロック１同士を堅固に接合でき、構築する擁壁用大型積みブロックにおいて変形やひび割れが起こるのを防止できる。
【００５０】
また、控え脚３において、その突出する方向の中間に水平部６を設けることで、擁壁用大型積みブロック１を組み上げて構築するとき、水平部６によって、下段の擁壁用大型積みブロック１の上に、上段の擁壁用大型積みブロック１を水平に正しい姿勢で積むことができる。しかも、この作業をただ単に積むだけの極めて簡単な作業にすることから、施工時の作業性を向上させることができる。
【００５１】
図１１は、控え脚に設ける水平部の機能を示す説明図である。
左右方向において内側にへこむように湾曲している斜面あるいは外側に膨らむように湾曲している斜面に擁壁用大型積みブロック１を組み上げて構築する場合、斜面が左右方向において湾曲することから、２つの擁壁用大型積みブロック１の間にできる谷の部分の大きさが広がる。これにより、水平部６を設けていないと、図１１（ａ）に示すように、この上に積む擁壁用大型積みブロック１を所定の位置に積むことができず、下にずれてしまうおそれがあるが、水平部６を設けることで、図１１（ｂ）に示すように、水平部６同士が合わさり、上下方向においてずれることなく所定の位置に擁壁用大型積みブロック１を積むことができる。
【００５２】
なお、控え脚３にあっては、ここを切り込むようにして水平部６を設けているため、水平部６を設ける箇所の強度が少し低下するが、水平部６を控え脚３の突出する方向の中間に設けることで、擁壁用大型積みブロック１に外力が作用し、擁壁用大型積みブロック１の内側と外側の一方で圧縮応力が他方で引張応力が生じ、この力が控え脚３に作用しても、水平部６を設ける控え脚３の突出する方向の中間が圧縮応力と引張応力の中立点で力が最も作用しない箇所であることから、作用する力によって控え脚３が破損することがない。
【００５３】
図１２は、控え脚に設ける水平部における噛み合わるときの状態を示す説明図である。
控え脚３において、図１２に示すように、水平部６の両側に形成する段部７が隣接する他の擁壁用大型積みブロック１の控え脚３の水平部６に控え脚３の突出する方向において噛み合うことで、控え脚３の突出する方向が擁壁用大型積みブロック１の前後方向になることから、控え脚３での噛み合いにより、隣接する擁壁用大型積みブロック１同士の前後の移動をなくすことができる。これにより、隣接する擁壁用大型積みブロック１同士を堅固に接合でき、構築する擁壁用大型積みブロックにおいて変形やひび割れが起こるのを防止できる。
【００５４】
図１３は、前壁板に設ける水平部と控え脚に設ける水平部とにおける合わさるときの状態を示す説明図である。
前壁板２の上下の角に水平部８を設けることで、擁壁用大型積みブロック１を組み上げて構築するとき、図１３に示すように、前壁板２に設ける水平部８と前述した控え脚３に設ける水平部６の計３ヶ所によって、上段の擁壁用大型積みブロック１を水平に正しい姿勢で積むことができる。しかも、この作業をただ単に積むだけの極めて簡単な作業にすることから、施工時の作業性を向上させることができる。
【００５５】
図１４は、上下に位置する２つの擁壁用大型積みブロックの前壁板をガイドピンによって位置決めするときの状態を示す説明図である。
前壁板２の上下の角に設ける水平部８に孔部１０をそれぞれ設け、図１４に示すように、上下に位置する２つの擁壁用大型積みブロック１の前壁板２の水平部８の孔部１０にわたってガイドピン１１を差し込んで位置決めすることで、上下に位置する２つの擁壁用大型積みブロック１を前後方向及び左右方向にずれることなく正確に積むことができる。しかも、これを容易に行えることから、施工時の作業性を格段に向上させることができる。
【００５６】
図１５は、前壁板の上下の水平部が隣接する他の擁壁用大型積みブロックの前壁板の左右の角に設ける切欠き部に嵌り込むときの状態を示す説明図である。
前壁板２の上下の角に上下に向かって凸状の突き出る形状の水平部８を設けると共に、前壁板２の左右の角に凹状の窪んだ形状の切欠き部９を設けることにより、擁壁用大型積みブロック１を組み上げて構築するとき、図１５に示すように、前壁板２の上下の角に設ける水平部８が隣接する他の擁壁用大型積みブロック１の前壁板２の左右の角に設ける切欠き部９に嵌り込むことで、隣接する擁壁用大型積みブロック１同士の前後及び左右の移動をなくすことができる。これにより、隣接する擁壁用大型積みブロック１同士を堅固に接合でき、構築する擁壁用大型積みブロックにおいて変形やひび割れが起こるのを防止できる。
【符号の説明】
【００５７】
１…擁壁用大型積みブロック、２…前壁板、３…控え脚、４…斜辺部、５…側面部、６…水平部、７…段部、８…水平部、９…切欠き部、１０…孔部、１１…ガイドピン、１２…水抜き用孔部、２０…基礎コンクリート、２１…根石用ブロック、２２…裏込め材、２３…裏込めコンクリート、２４…胴込めコンクリート、２５…天端用ブロック、２６…天端コンクリート、３１…擁壁用大型積みブロック、３２…前壁板、３３…控え脚、３４…突起部、３５…窪み部、３６…基礎コンクリート、３７…裏込め材、３８…裏込めコンクリート、３９…胴込めコンクリート、４０…天端コンクリート
【図１】
2017227097.tif 000003
【図２】
2017227097.tif 000004
【図３】
2017227097.tif 000005
【図４】
2017227097.tif 000006
【図５】
2017227097.tif 000007
【図６】
2017227097.tif 000008
【図７】
2017227097.tif 000009
【図８】
2017227097.tif 000010
【図９】
2017227097.tif 000011
【図１０】
2017227097.tif 000012
【図１１】
2017227097.tif 000013
【図１２】
2017227097.tif 000014
【図１３】
2017227097.tif 000015
【図１４】
2017227097.tif 000016
【図１５】
2017227097.tif 000017
【図１６】
2017227097.tif 000018
【図１７】
2017227097.tif 000019
【図１８】
2017227097.tif 000020
【図１９】
2017227097.tif 000021
【図２０】
2017227097.tif 000022
【図２１】
2017227097.tif 000023
【図２２】
2017227097.tif 000024
【図２３】
2017227097.tif 000025
【図２４】
2017227097.tif 000026
【手続補正書】
【提出日】平成29年7月12日(2017.7.12)
【手続補正１】
【補正対象書類名】明細書
【補正対象項目名】００１４
【補正方法】変更
【補正の内容】
【００１４】
第一の発明は、４つの斜辺部を有してそれぞれの角が上下及び左右それぞれの端に位置する正面視が菱形の前壁板と、前壁板の後面に後方に突出するように設け、かつ前壁板の各斜辺部の中間にそれぞれ配置する４つの控え脚と、から構成し、控え脚は、４つの斜めの側面部を有してそれぞれの角が上下及び左右それぞれの端に位置する四角柱状にし、擁壁用大型積みブロックを谷積みにして組み上げるとき、４つの控え脚それぞれが隣接する他の擁壁用大型積みブロックの控え脚に組み合わさるとともに、控え脚の１つの側面部が隣接する他の擁壁用大型積みブロックの控え脚の１つの側面部に斜めに相対する擁壁用大型積みブロックである。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】変更
【補正の内容】
【００１６】
第二の発明は、第一の発明において、控え脚の突出する方向の中間に水平部を設ける擁壁用大型積みブロックである。
【手続補正４】
【補正対象書類名】明細書
【補正対象項目名】００１７
【補正方法】変更
【補正の内容】
【００１７】
第三の発明は、第二の発明において、控え脚の水平部の両側に段部を形成し、擁壁用大型積みブロックを谷積みにして組み上げるとき、水平部の両側に形成する段部が隣接する他の擁壁用大型積みブロックの控え脚の水平部に控え脚の突出する方向において噛み合う擁壁用大型積みブロックである。
【手続補正５】
【補正対象書類名】明細書
【補正対象項目名】００１８
【補正方法】変更
【補正の内容】
【００１８】
第四の発明は、第一乃至第三のいずれかの発明において、前壁板の上下の角に水平部を設ける擁壁用大型積みブロックである。
【手続補正６】
【補正対象書類名】明細書
【補正対象項目名】００１９
【補正方法】変更
【補正の内容】
【００１９】
第五の発明は、第四の発明において、前壁板の水平部にガイドピンを差し込み可能にする孔部を設け、擁壁用大型積みブロックを谷積みにして組み上げるとき、水平部の孔部と上下に位置する他の擁壁用大型積みブロックの前壁板の水平部の孔部とにわたってガイドピンを差し込んで位置決めする擁壁用大型積みブロックである。
【手続補正７】
【補正対象書類名】明細書
【補正対象項目名】００２０
【補正方法】変更
【補正の内容】
【００２０】
第六の発明は、第四又は第五の発明において、前壁板の水平部を凸状の突き出る形状にすると共に、前壁板の左右の角に凹状の窪んだ形状の切欠き部を設け、擁壁用大型積みブロックを谷積みにして組み上げるとき、前壁板の水平部が隣接する他の擁壁用大型積みブロックの前壁板の切欠き部に嵌り込む擁壁用大型積みブロックである。
【手続補正８】
【補正対象書類名】特許請求の範囲
【補正対象項目名】全文
【補正方法】変更
【補正の内容】
【特許請求の範囲】
【請求項１】
４つの斜辺部を有してそれぞれの角が上下及び左右それぞれの端に位置する正面視が菱形の前壁板と、
前壁板の後面に後方に突出するように設け、かつ前壁板の各斜辺部の中間にそれぞれ配置する４つの控え脚と、から構成し、
控え脚は、４つの斜めの側面部を有してそれぞれの角が上下及び左右それぞれの端に位置する四角柱状にし、擁壁用大型積みブロックを谷積みにして組み上げるとき、４つの控え脚それぞれが隣接する他の擁壁用大型積みブロックの控え脚に組み合わさるとともに、控え脚の１つの側面部が隣接する他の擁壁用大型積みブロックの控え脚の１つの側面部に斜めに相対することを特徴とする擁壁用大型積みブロック。
【請求項２】
請求項１に記載された擁壁用大型積みブロックにおいて、
前記控え脚の突出する方向の中間に水平部を設けることを特徴とする擁壁用大型積みブロック。
【請求項３】
請求項２に記載された擁壁用大型積みブロックにおいて、
前記控え脚の水平部の両側に段部を形成し、擁壁用大型積みブロックを谷積みにして組み上げるとき、水平部の両側に形成する段部が隣接する他の擁壁用大型積みブロックの控え脚の水平部に控え脚の突出する方向において噛み合うことを特徴とする擁壁用大型積みブロック。
【請求項４】
請求項１乃至３のいずれかに記載された擁壁用大型積みブロックにおいて、
前記前壁板の上下の角に水平部を設けることを特徴とする擁壁用大型積みブロック。
【請求項５】
請求項４に記載された擁壁用大型積みブロックにおいて、
前記前壁板の水平部にガイドピンを差し込み可能にする孔部を設け、擁壁用大型積みブロックを谷積みにして組み上げるとき、水平部の孔部と上下に位置する他の擁壁用大型積みブロックの前壁板の水平部の孔部とにわたってガイドピンを差し込んで位置決めすることを特徴とする擁壁用大型積みブロック。
【請求項６】
請求項４又は５に記載された擁壁用大型積みブロックにおいて、
前記前壁板の水平部を凸状の突き出る形状にすると共に、前壁板の左右の角に凹状の窪んだ形状の切欠き部を設け、擁壁用大型積みブロックを谷積みにして組み上げるとき、前壁板の水平部が隣接する他の擁壁用大型積みブロックの前壁板の切欠き部に嵌り込むことを特徴とする擁壁用大型積みブロック。